(57)【要約】【課題】本発明は、印刷配線板を有する電子機器に係り、特に配線板間の安定した接続状態を維持できる印刷配線板固定機構を有する電子機器に関する。【解決手段】筐体と、前記筐体の一面に固定された第１印刷配線板と、前記第１印刷配線板と機械的に連結され且つコネクタによって電気的に接続される第２印刷配線板とを備え、前記第２印刷配線板は前記筐体に対して相対的に移動可能に支持したことを特徴とする電子機器。【選択図】  図１
2011096805.tif 000002
【特許請求の範囲】
【請求項１】
筐体と、
前記筐体内の一面に固定された第１印刷配線板と、
前記第１印刷配線板と機械的に連結され且つコネクタによって電気的に接続される第２印刷配線板とを備え、
前記第２印刷配線板は前記筐体に対して相対的に移動可能に支持したことを特徴とする電子機器。
【請求項２】
前記第２印刷配線板を、前記筐体に一側を固定し、他側を前記筐体と離間して配置した補助板の第１の連結板に固定することにより、前記第２印刷配線板を前記筐体に対して相対的に移動可能に支持したことを特徴とする請求項１に記載の電子機器。
【請求項３】
前記第２印刷配線板に第２の連結板を固定し、この第２の連結板を前記筐体に固定した支持部材に対して相対的に移動可能に支持したことを特徴とする請求項１記載の電子機器。
【発明の詳細な説明】
【技術分野】
【０００１】
本発明は、印刷配線板を有する電子機器に係り、特に配線板間の安定した接続状態を維持できる印刷配線板固定機構を有する電子機器に関する。
【背景技術】
【０００２】
電子機器、例えばパソコンの移動・運搬などのときに、筐体に力が加わると、歪みが生じてしまう。それにより、筐体に固定された複数の印刷配線板および、印刷配線板同士を接続するコネクタ部分にも歪みを生じる。
【０００３】
印刷配線板同士の接続用コネクタは、一方の接触子がバネ性を有する金属で固定され、この接触子のバネ性により機械的接触面の接触圧力を確保し電気的導通を得る機構が広く用いられている。当該機構では、安定した電気的接触性を保つために安定した接触圧力を確保することが必要であり、コネクタ接続時の双方の印刷配線板の相対的な位置関係・形状を一定に保つことが重要となる。
【０００４】
コネクタ接続部の機械的強度を保ち安定した電気的導通性を得るために、第一の方法として、接続する複数の印刷配線板それぞれにコネクタのシェルを設けることが一般的に行われている。
【０００５】
また、第二の方法として、図７乃至図１０に示すように、筐体１の内部に収納配置した第１の印刷配線板２の表面に、シェルを有するコネクタ４を取り付け、第１の印刷配線板２と直交するように配置される第２の印刷配線板３の表面に直接導通面を設け、この導通面を、第１の印刷配線板２に取り付けたコネクタ４のシェル内に挿入して、コネクタ４の接触子と電気的に接続する機構もまた広く使用されている。
【０００６】
この第二の方法で使用されるコネクタ４では、第１の印刷配線板２の機械的強度は、一般的に樹脂成型または金属で構成されるコネクタ４のシェルに比較して小さい。また、第１の印刷配線板２のコネクタ４に挿入される第２の印刷配線板３の寸法製造公差の吸収および挿抜操作性確保のため、コネクタ４の接触子の導通面と接続される第２印刷配線板３の導通面との位置関係にはいわゆる遊びを設けている。
【先行技術文献】
【特許文献】
【０００７】
【特許文献１】特開２００４−２２８３７２号公報
【発明の概要】
【発明が解決しようとする課題】
【０００８】
上述した第１の印刷配線板２にシェルを有するコネクタ４を設ける第２の方法によるコネクタ４と、第２の印刷配線板３との接触部の相対位置変化は、コネクタ４の接触子の第２の印刷配線板３表面の導通面上でのずれや摺動となり、コネクタ４の接触子表面および第２の印刷配線板３側導通面表面のめっきなどの保護膜に損傷を与える。
【０００９】
その結果、接触部の金属表面の酸化あるいは腐食による電気的導通性の劣化を生じる場合があることが課題であった。また、非常に精密な接触部分だけの接続であるために、その接触部分にゴミなど異物が入り、この異物が動くことによって精密な接触箇所内を異物が移動し、電気的導通性を確保できなくなるという問題点があった。
【００１０】
さらに、筐体１に歪みが生じたときたとえば、筐体１の一角に力が加わって筐体１が変形すると、筐体１に固定された第１印刷配線板２と第２印刷配線板３とに相対的な歪みを生じてしまう。このため、第１印刷配線板２と第２印刷配線板３間を接続するコネクタ部４にも歪みが及び、電気的導通性の劣化を招く場合がある。
【００１１】
本発明は上記課題を解決するためになされたもので、複数の印刷配線板間の接続部における電気的導通性の劣化を防ぐ印刷配線板の固定機構を得ることを目的とする。
【課題を解決するための手段】
【００１２】
上記目的を達成するため本発明の電子機器によれば、筐体と、前記筐体の一面に固定された第１印刷配線板と、前記第１印刷配線板とコネクタによって電気的に接続される第２印刷配線板と、前記第１印刷配線板と前記第２印刷配線板を固定する補助板とを備えることを特徴とする。
【発明の効果】
【００１３】
本発明によれば、電気的導通性の劣化を防ぐ印刷配線板の固定機構を有する電子機器を得ることができる。
【図面の簡単な説明】
【００１４】
【図１】本発明の電子機器の第１の実施形態を示す正面図である。
【図２】本発明の電子機器の第１の実施形態を示す側面図である。
【図３】本発明の電子機器の第１の実施形態を示す底面図である。
【図４】図１に力がかかったときの状態を説明するための正面図である。
【図５】図１に力が加わったときの状態を説明するための底面図である。
【図６】本発明の第２の実施形態を示す側面図である。
【図７】従来の実施形態を示す正面図である。
【図８】従来の実施形態を示す側面図である。
【図９】従来の実施形態を示す底面図である。
【図１０】従来の電子機器を示す斜視図である。
【発明を実施するための形態】
【００１５】
以下に本発明による印刷配線板固定機構の実施形態を図１乃至図６を参照して説明する。
【００１６】
（第１の実施形態）
図１、図２、図３はそれぞれ本発明による電子機器の第１の実施形態を示す正面図、側面図、底面図である。また、図４、図５は図１の筐体にひずみが生じたときの形状を説明する正面図および底面図である。
【００１７】
筐体１１内部の底面に沿うように配置された第１印刷配線板１２は、ネジ１６によって筐体１１底面に固定されている。この第１印刷配線板１２と筐体１１の底面間には、ネジ１６によって補助板１５を配置固定している。
【００１８】
第１印刷配線板１２の表面には、後述する第２印刷配線板１３と電気的に接続するためのシェルを有するコネクタ１４を設けてある。
【００１９】
また、補助板１５の一端には、前記筐体１１の底面から側面に略並行して伸びる前記第２印刷配線板１３を取り付けるための取付部１５ａを設けてある。第２印刷配線板１３は前記第１印刷配線板１２と直交するように筐体１１内に配置される。そして、この第２印刷配線板１３に形成された導通面を第１印刷配線板１２に設けたシェルを有するコネクタ１４に挿入して、導通面とコネクタト１４の接触子とを互いに電気的に接続する。
【００２０】
第２印刷配線板１３における補助板１５の取付部１５ａと対向する端部と、取付部１５ａ間は、Ｌ字形の連結板１７を介して連結固定される。即ち、連結板１７の一部をネジ１７ａにより取付板１５ａに固定し、連結板１７の他部でネジ１７ｂにより第２印刷配線板１３と固定する。
【００２１】
これにより、第２印刷配線板１３は直接筐体１１に固定されることなく第２印刷配線板１３の導通面を第１印刷配線板１２のコネクタ１４に接続させた状態で筐体１１内に配置される。
【００２２】
次に、上記のように構成された本発明の実施形態において、例えば筐体１１底面の１つの角に他の角よりも大きな荷重がかかった場合について図４及び図５を参照して説明する。
【００２３】
図４に示すように、筐体１１の底面の１つの角１１ａに荷重が加わると、荷重を受けた面は平面を維持できずに歪みを生じてしまう。その際、辺の長さは変わらないが、一方で、底面、側面および他の側面がそれぞれ機械的に接続されているため、底面と側面の角度は、筐体底面に均等に荷重がかかっている場合と同一でなくなってしまう。このために、長方形であった面が、ひし形に変化し、これによって、第１印刷配線板１２と第２印刷配線板１３が相対的に歪みを生じてしまう。
【００２４】
この結果、第１印刷配線板１２と第２印刷配線板１３とを接続するコネクタ１４にも歪みが生じる恐れがある。
【００２５】
しかしながら、補助板１５は筐体１１の側面には固定されておらず、第２印刷配線板１３が筐体１１に対して相対的に移動可能となっているので、補助板１５の底面側と取付部１５ａの側面側との成す角度の変化は小さい。
【００２６】
このため、第１印刷配線板１２と第２印刷配線板１３との接続部の相対的な位置関係の変化も小さく、第２印刷配線板１３は第１印刷配線板１２と同じ動きをして相対的に歪みを生じることがない。さらに、コネクタ１４も歪みを生じずに、正常なまま位置関係を保てる。電子機器の印刷配線板固定機構を得ることができる。
【００２７】
（第２の実施形態）
図６を参照して本発明による電子機器の第２の実施形態を示す。この電子機器が前記第１の実施形態と相違する点は、補助板１５を削除し、連結板１７の筐体１１への取付構造を改良している。
【００２８】
第１の実施形態と同一部品に同符号を付した図６において、コネクタ１４を表面上に設けた第１印刷配線板１２には、第１印刷配線板１２と直交するように配置された第２印刷配線板１３の導通面が挿入されて互いに電気的に接続される。
【００２９】
第２印刷配線板１３の筐体１１の側面と対向する端部は、筐体１１に強固に固着せずに所定の移動可能な裕度を持たせて支持させる構成となっている。即ち、第２印刷配線板１３の端部にネジ１７ｂにより連結板１７を固着する。筐体１１には支持部材１８がネジ１９で固定してある。この支持部材１８で連結板１７を支持する構成である。
【００３０】
支持部材１８（１８ａ、１８ｂ）は離間して対向する第１支持金具１８ａと第２支持金具１８ｂとで構成され、この支持部材１８で連結板１７を狭持する構成となっている。そして、支持部材１８で連結板１７を狭持させたとき、両者間にはギャップＧが形成されるような関係となっている。
【００３１】
したがって、筐体１１に力が加わったときには、第２印刷配線板１３は、支持部材１８によって筐体１１に対してはギャップＧの範囲で移動可能な状態で支持されているために、筐体１１の歪みに従って、第１印刷配線板１２にずれが生じて、第２印刷配線板１３も同時に移動するが、第２印刷配線板１３はこの移動により歪みを吸収する。
【００３２】
したがって、第２印刷配線板１３は筐体１１の歪みの影響は受けず、そのため、第１、第２印刷配線板同士のずれが生じることは無く、両者間の電気的接続部分の安定した接続状態を維持できる印刷配線板の固定機構を有する電子機器を提供できる。
【００３３】
（第３の実施形態）
前記第２の実施形態においては、支持部材１８を支持金具１８ａ，１８ｂで構成し、この支持部材１８をネジ１９で筐体１１に固定したが、この支持金具１８ａ，１８ｂを弾性力を有するプラスチックの支持部材で構成する。
【００３４】
このとき、連結板１７には、支持部材１８に設けた凸部が連結板１７に設けた孔に嵌まり込むようにして支持部材１８で連結板１７を支持させる。これにより支持部材１８の凸部がプラスチックのやわらかさによって、連結板１７の孔に挿入されるので、その後は通常使用時には外れることがなく、筐体１１に第２の印刷配線板１３をしっかりと支持させることが可能である。そして、安定した接続状態を維持できることは前述の実施形態と同様である。
【符号の説明】
【００３５】
１…従来技術の筐体
２…従来技術の第１印刷配線板
３…従来技術の第２印刷配線板
４…従来技術のコネクタ
１１…筐体
１２…第１印刷配線板
１３…第２印刷配線板
１４…コネクタ
１５…補助板
１７…連結板
１８・・・支持部材
Ｇ・・・ギャップ
【図１】
2011096805.tif 000003
【図２】
2011096805.tif 000004
【図３】
2011096805.tif 000005
【図４】
2011096805.tif 000006
【図５】
2011096805.tif 000007
【図６】
2011096805.tif 000008
【図７】
2011096805.tif 000009
【図８】
2011096805.tif 000010
【図９】
2011096805.tif 000011
【図１０】
2011096805.tif 000012